(57)【要約】ＨＤＤに設けられた多数の穴を迅速にシールすることができ、情報を記録した後に再度迅速にシールを剥がすことができる記録装置用穴塞ぎシールを提供する。記録装置用穴塞ぎシールの一部の屈曲形状は、複数のシートを重ねても消滅しない。本発明に係る記録装置用穴塞ぎシール１０は、記録装置の筐体に設けられている貫通穴を塞ぐ着脱可能な粘着層を一部に有する貼付部２を有し、前記シールの一端部には粘着性を有しない折り代３が形成され、当該粘着性を有しない折り代３と貼付部２との境界に凹状の溝による折り目７が形成されていることを特徴とする。
2015072007.tif 000002
【特許請求の範囲】
【請求項１】
離型紙に貼り付けられた複数のシールにおいて、前記シールは記録装置の筐体に設けられている貫通穴を塞ぐ着脱可能な粘着層を一部に有する貼付部を有し、前記シールの一端部には粘着性を有しない折り代が形成されており、当該粘着性を有しない折り代と粘着層を有する貼付部との境界に凹状の溝による折り目が形成されていることを特徴とする離型紙に貼り付けられた記録装置用穴塞ぎシール。
【請求項２】
前記記録装置用穴塞ぎシールは、少なくとも貼付部が有色の透明又は半透明材料によって形成されていることを特徴とする請求項１に記載された離型紙に貼り付けられた記録装置用穴塞ぎシール。
【請求項３】
前記折り代が、２〜９０°の角度をもって台紙より外方へ屈曲していることを特徴とする請求項１又は２に記載された離型紙に貼り付けられた記録装置用穴塞ぎシール。
【請求項４】
シートの片面に粘着層を形成した後、折り代が形成される箇所に粘着性をなくすためのインク又はフィルムを塗布・貼着した後、前記シートを離型紙に貼り付けた後、シートの表面を粘着層を有する貼付部と折り代が一体となる複数の穴塞ぎシールの形状に打ち抜いた後、不要部分を離型紙より剥離し、粘着層の設けられた貼付部と折り代との境界をシート側より押圧することによって、当該境界に凹状の溝による折り目を形成することを特徴とする離型紙に貼り付けられた記録装置用穴塞ぎシールの製造方法。
【発明の詳細な説明】
【技術分野】
【０００１】
本発明は、記録装置（ハードディスク・ドライブ）の筐体に設けられた貫通穴を塞ぐための着脱可能な記録装置用穴塞ぎシールに関する。特に穴塞ぎシールの端部に粘着層を有しない折り代を形成することにより、穴塞ぎシールの着脱の高速化を図るものである。
【背景技術】
【０００２】
近年、記録装置（ＨＤＤ）は、大容量・高速処理といった要求特性に対応するため、磁気ディスクを高速回転させている。そのため、ＨＤＤ内部で摩擦値や抵抗値が大きくなったり、プラッタ振動による気流の発生によって、プラッタ及び読み取りヘッドの位置決め制御に影響が生じするため、磁気ディスクの回転数の増加分ほど、ＨＤＤの容量や高速処理といった効果が望めないことが判明していた。又、ＨＤＤ内における気流の発生が、ＨＤＤにおける騒音の要因ともなっていた。【０００３】
更に、ＨＤＤ内において気流が発生すると、磁気ディスクの回転に対して負荷が発生することになるため、高速回転に伴って、モータ出力が上がることになり、ＨＤＤの回転には設計以上に大きな電力が要求されていることも判明した。
ここで、上述したＨＤＤ内における気流の発生や、不必要な電力消費の問題を解消するために、水素やヘリウムといった低密度の気体をＨＤＤ内に封入する技術が開発されていた（特許文献１、２等）。【０００４】
しかし、ＨＤＤの筐体には、スピンドルモータ、アクチュエータ及び外装カバーといった冶具用のネジ穴や、低密度の気体を供給するための穴が設けられている。そのためＨＤＤ内に封入されている低密度の気体が、そのような穴から漏れ出すといった問題が生じた。この問題を解決するため、ＨＤＤの筐体に設けられた全ての穴をシールする必要が生じた。【０００５】
ところが、ここで新たな問題が生じた。仮にこれらの穴をシールによって完全に封止してしまうと、大気圧の変化によるＨＤＤの内部圧力の変化に対応することができず、ＨＤＤが故障する要因になり得ることが分かった。この問題を解決するために、気圧を調節するための穴、すなわち、コンサベータ（蛇腹状の圧力調整機構）を設けることによって、上記大気圧の変化に対応することが考えられる。しかし、このような特殊な構造を採用することによって、ＨＤＤの製造コストは大幅に増大するため、現実的な解決手段となり得ないのが現状であった。
【先行技術文献】
【特許文献】
【０００６】
【特許文献１】米国特開第２００５・００６８６６号公報
【特許文献２】特開２００７−２８０５５５号公報
【発明の概要】
【発明が解決しようとする課題】
【０００７】
本発明は、ＨＤＤ内に充填された低密度の気体を、ＨＤＤの筐体に設けられた穴をシールすることによって封入し、大容量かつ高速処理によって、ＨＤＤへの情報の記録を行うことを課題とする。一方、大容量の情報を記録したＨＤＤを使用する際には、ＨＤＤの筐体に穴を設けてＨＤＤの内圧を調整できるようにすることを課題とする。
そのため、ＨＤＤに設けられた多数の穴を迅速にシールすることができ、情報を記録した後に再度迅速にシールを剥がすことができる記録装置用穴塞ぎシールを提供することを目的とする。
更に、複数のシートを重ねてもシールの一部の屈曲形状が経時的に消滅しない記録装置用穴塞ぎシールを提供することを目的とする。
【課題を解決するための手段】
【０００８】
本発明者は、上記の課題を解決するために以下の構成を採用した。
（１）離型紙に貼り付けられた複数のシールにおいて、前記シールは記録装置の筐体に設けられている貫通穴を塞ぐ着脱可能な粘着層を一部に有する貼付部を有し、前記シールの一端部には粘着性を有しない折り代が形成されており、当該粘着性を有しない折り代と粘着層を有する貼付部との境界に凹状の溝による折り目が形成されていることを特徴とする離型紙に貼り付けられた記録装置用穴塞ぎシールである。
（２）前記記録装置用穴塞ぎシールは、少なくとも貼付部が有色の透明又は半透明材料によって形成されていることを特徴とする上記（１）に記載された離型紙に貼り付けられた記録装置用穴塞ぎシールである。【０００９】
（３）前記折り代が、２〜９０°以下の角度をもって台紙より外方へ屈曲していることを特徴とする上記（１）又は（２）に記載された離型紙に貼り付けられた記録装置用穴塞ぎシールである。【００１０】
（４）シートの片面に粘着層を形成した後、折り代が形成される箇所に粘着性をなくすためのインク又はフィルムを塗布・貼着した後、前記シートを離型紙に貼り付けた後、シートの表面を粘着層を有する貼付部と折り代が一体となる複数の穴塞ぎシールの形状に打ち抜いた後、不要部分を離型紙より剥離し、粘着層が設けられた貼付部と折り代との境界をシート側より押圧することによって、当該境界に凹状の溝による折り目を形成することを特徴とする離型紙に貼り付けられた記録装置用穴塞ぎシールの製造方法である。
【発明の効果】
【００１１】
本発明により、ＨＤＤ内に充填された低密度の気体を、ＨＤＤの筐体に設けられた穴をシールすることによって封入し、大容量かつ高速処理によって、ＨＤＤへの情報の記録を行い、かつ、大容量の情報を記録したＨＤＤを使用する際には、ＨＤＤの筐体に穴を設けてＨＤＤの内圧を調整できることができる。
すなわち、本発明に係る記録装置用穴塞ぎシールを採用することによって、ＨＤＤに設けられた多数の穴を迅速にシールすることができ、情報を記録した後に再度迅速にシールを剥がすことができるという効果が得られる。
更に、本発明に係る記録装置用穴塞ぎシールを採用することによって、複数のシートを重ねてもシールの一部の屈曲形状が経時的に消滅しないという優れた効果が得られる。
【図面の簡単な説明】
【００１２】
【図１】本発明の実施形態１に係る記録装置用穴塞ぎシールを示す図である。（ａ）は平面図であり、（ｂ）はｂ−ｂ’矢視断面図である。
【図２】図１に示した記録装置用穴塞ぎシールの効果を説明するための斜視図である。
【図３】本発明の実施形態２に係る記録装置用穴塞ぎシールの製造方法の工程の一部を説明するための斜視図である。
【図４】図３に示した記録装置用穴塞ぎシールの製造工程の一部を説明するための概念図である。
【図５】実施例１における試験結果を示すグラフである。
【発明を実施するための形態】
【００１３】
以下、本発明に係る記録装置用穴塞ぎシールの実施形態を図面に則して説明する。ただし、以下に示す実施形態は、本発明に係る記録装置用穴塞ぎシールの一例にすぎないため、他の形状や材料によって製造される記録装置用穴塞ぎシールも本発明の範囲に属するものであれば、全て含まれる。
【００１４】
実施形態１
図１は、本発明の実施形態１に係る記録装置用穴塞ぎシールを示す図である。
本実施形態１に係る記録装置用穴塞ぎシール１０は、記録装置の筐体に設けられている貫通穴を塞ぐ機能を有する。
前記記録装置用穴塞ぎシール１０は、図１（ａ）に示す如く、使用前は台紙１に貼り付けられている。かかる記録装置用穴塞ぎシール１０は、着脱可能な粘着層が形成されている貼付部２を有している。又、前記シール１０の一端部には粘着性を有しない折り代３が形成されており、かかる粘着性を有しない折り代３と貼付部２の境界には直線上に凹状の溝である折り目７が形成されている。ここで凹状の溝は、深さ０．１μｍ〜５８．０μｍで形成するのが好ましい。０．１μｍ未満では、台紙より上方へ屈曲しない。一方、５８．０μｍを超えると折り目７が貼付部から破断しやすくなるので好ましくない。好ましくは０．２μｍ〜３８．０μｍｍである。より好ましくは、０．３μｍ〜２５．０μｍである。
【００１５】
ここで台紙１としては、未使用の状態で糊面に塵等が付着せず、粘着性能が維持できるような台紙であれば、どのような材料のものを使用しても良い。ここで台紙１は、基材に目止め層と剥離層が積層されて形成されているのが一般的である。
基材としては、半晒、上質紙、グラシン紙、クラフト紙、ポリエチレンフィルム等様々な材料を用いることができる。又、目止め層としては、ポリエチレン、クレーコート、ポリビニルアルコール等が用いられる。又、グラシン紙を基材に用いた場合は、目止め層を形成しなくても良い。更に、剥離層としては、シリコーン樹脂等により形成される。シリコーン樹脂としては、溶剤型、無溶剤型、エマルジョン型等が挙げられる。
【００１６】
本実施形態１に係る記録装置用穴塞ぎシール１０は、粘着性を有しない折り代３が平面視略四角形状であり、貼付部２における前記折り代３と反対側の端部は平面視略半円弧状に形成されている。このような形状に形成することによって、シールの無駄な部分を極力排除することができる。更に前記貼付部２の両側面は、直線状の切り欠き部に形成されている。貼付部２の両側面に直線状の切り欠き部を形成することによって、記録装置用穴塞ぎシール１０を並べて台紙等に配置することが可能になる。
【００１７】
本実施形態１に係る記録装置用穴塞ぎシール１０は、図１（ｂ）に示す如く、台紙１上貼り付けられた貼付部２が、表面基材５と粘着層６とを積層することにより形成されている。表面基材５は、上質紙、アート紙、マットコート紙、キャストコート紙、ホイル紙、感熱紙、和紙、クラフト紙、蛍光紙等の紙系や、ポリエステルフィルム、ネーマ、ラミネートフィルム、ポリプロピレン、塩化ビニルフィルム、合成紙、アセテート、オレフィン系フィルム、ラミネートフィルム等のフィルム系によって形成されている。又、粘着層６は、エマルジョン系、ソルベント系、シリカ系、カゼイン系、天然ゴム系、ラテックスウ系、デンプン系、アクリル樹脂系等の接着剤によって形成されている。
又、貼付部２は、透明又は半透明材料によって形成されていることが好ましい。透明にすることによって、ＨＤＤの筐体における穴部を目視により確認することができ、確実にＨＤＤに空いている穴を塞ぐことができるからである。
【００１８】
次に粘着性を有しない折り代３について説明する。図１（ｂ）に示す如く、折り代３は、表面基材５は上記貼付部２の延長部により形成されている。一方、粘着層６は形成されておらず、粘着層の上に特殊な処理を施し、粘着性を有しないように加工８がなされている。たとえば、粘着層の上に特殊な印刷８を施すことによって、粘着の効力をなくす方法や、粘着性のないフィルムを貼着することによって、粘着の効力をなくす方法がある。又は、折り代３の裏側には、粘着層６を形成しない加工方法を採用しても良い。
【００１９】
本実施形態１に係る記録装置用穴塞ぎシール１０は、貼付部２と折り代３との境界に折り目７が形成されている点に特徴を有する。折り目７は、図１（ａ）に示す如く、貼付部２と折り代３の境界に沿って直線状に形成されている。又、図１（ｂ）に示す如く、折り目７は、断面が凹状に形成されている。このように凹状の折り目７を貼付部２と折り代３の境界に形成しておくことによって、複数のシートを重ねてもシールの一部の屈曲形状が経時的になくならないという優れた効果が得られる。
このような折り目７を設けることによって、折り代３を所定の角度θに屈曲させることができるため、記録装置用穴塞ぎシール１０を台紙１より迅速に剥がす事ができる。又、記録装置用穴塞ぎシール１０をＨＤＤの筐体にある穴を覆うように貼り付けた後、ＨＤＤ内に低密度の気体を充填した後、ＨＤＤへ情報を記録した後に、再度迅速にシールを剥がすことができる。
【００２０】
ここで前記折り代３の所定角度θは、９０°以下の角度をもって台紙より外方へ屈曲していることが好ましい。９０°を超えると、本実施形態１に係る記録装置用穴塞ぎシール１０が貼り付けられている台紙を、複数重ねて輸送した場合に、他の台紙が干渉することによって、折り代３が反対側に折れ曲がってしまい、貼付部２の裏側が表出し、塵等が粘着層６に付着する不具合が生じる。折り代３における屈曲角度θは、好ましくは、５°〜６０°、より好ましくは１０°〜４５°である。５°未満では、台紙等から記録装置用穴塞ぎシール１０を剥がす際に、ピンセット等で折り代３を挟み難くなるからである。
【００２１】
図２は、本実施形態１に係る記録装置用穴塞ぎシール１０の効果を説明する斜視図である。図２に示す如く、一般的にはＨＤＤの筐体２０には、穴１２が開いている。これらの穴１２は、スピンドルモータ、アクチュエータ及び外装カバーといった冶具用のネジ穴や、低密度の気体を供給するために設けられている。このような状態でＨＤＤの内部にヘリウム・ガス等の低密度の気体を注入しても、前記穴１２から気体が漏れ出してしまう。そこで、本実施形態１に係る記録装置用穴塞ぎシール１０を、図２に示す如く、これらの穴１２を覆うように貼り付ける。
貼り付けられた記録装置用穴塞ぎシール１０は、図２に示す如く、折り代３が外方へ屈曲していることから、ピンセット等によって折り代３を挟みやすくなるため、ＨＤＤからの迅速にシールを剥がすことが可能となる。
【００２２】
実施形態２
図３は、本発明の実施形態２に係る記録装置用穴塞ぎシールの製造方法を示す斜視図である。
本発明の実施形態２に係る記録装置用穴塞ぎシールは、ポリエステルフィルムからなる原反である長尺シートの片面に、シリカ系接着剤によって粘着層を形成する。その後、折り代が形成される箇所に粘着性をなくすためのフィルムが貼着される。
その後、上質紙と目止め層と剥離層とを積層した長尺の台紙に、上記長尺シートを貼り合わせる。このようにして製造されたシートを、記録装置用穴塞ぎシールが形成される側の表面に、所定の型抜き機を使用して、図１に示すような形状の記録装置用穴塞ぎシールを部分的に打ち抜き加工を施す。その後記録装置用穴塞ぎシールの形状以外の不要部分をシールを剥離し、ロール状に巻き取って、原反ロールを製造する。
【００２３】
かかる原反ロールを図２に示す型押し機にセットし、図２に示す矢印の方向へ、原反ロール３０を、シールを貼り付けた部分を上にして繰り出していく。原反ロールは、図２に示す対抗する型押シリンダ３１と押圧シリンダ３２との間を通過する。型押シリンダ３１には、所定間隔で凹凸の刃を有した突出部材３４が形成されている。ここで型押シリンダ３１における突出部材３４の刃を凹凸形状にした理由は、後述する記録装置用穴塞ぎシールに折り目を形成する際に、応力を突出部分に集中させるためである。そして、前記型押シリンダ３１と押圧シリンダ３２とは、型押シリンダ３１における突出部材３４の凸部先端が、押圧シリンダ３２曲面と当接するように配置されている。
図４に示す如く、前記原反ロール３０は、前記型押シリンダ３１と押圧シリンダ３２との間を通過する際に、位置決めされた突出部材３４によって、記録装置用穴塞ぎシール４０における貼付部４２と折り代４３の折り目４７を押圧することによって、前記境界に凹状の折り目４７を形成する。
【００２４】
実施例１
上記実施形態１で説明した複数の記録装置用穴塞ぎシールを製造した。記録装置用穴塞ぎシールは、ポリエステルフィルムにシリカ系接着剤による粘着層が積層された貼付部と、フィルムを貼り付けることによって粘着性を有しない折り代から形成されている。そして、製造した記録装置用穴塞ぎシールを、上質紙と目止め層と剥離層とを積層した１９ｃｍ×８ｃｍの台紙に貼り付けた。一枚の台紙に貼り付けられた記録装置用穴塞ぎシールは５０枚である。
このようにして製造された記録装置用穴塞ぎシールが貼り付けられた台紙を、１００枚製造し、全てのシートを重ねて、その上に５ｍｍ厚の木板を載置し、更に５ｋｇの錘を載せた。その状態で静置し、２４時間毎に、最も下にあるシートを１枚抜き取り、折り代の端部と台紙の表面との距離をノギスで計測した。ノギスでの計測は、折り代の端部１０箇所で測定し、その平均値をとった。
以下の表１及び図５は、試験を開始してから、３日分の測定結果をまとめたものである。４日移行も測定を継続したが、数値は３日目とほとんど変化がなかった。
【００２５】
【表１】
2015072007.tif 000003
【００２６】
上記表１及び図５より明らかなように、本発明に係る記録装置用穴塞ぎシールを採用することによって、屈曲している折り代により迅速にシールの貼剥ができるという効果が得られ、更に、複数のシートを重ねても、そのような折り代の屈曲形状が経時的に消滅しないということが実証された。
【符号の説明】
【００２７】
１，３０  台紙
２，４２  貼付部
３，４３  折り代
６    粘着層
７，４７  折り目
１０，４０  記録装置用穴塞ぎシール
【図１】
2015072007.tif 000004
【図２】
2015072007.tif 000005
【図３】
2015072007.tif 000006
【図４】
2015072007.tif 000007
【図５】
2015072007.tif 000008
【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
離型紙に貼り付けられた複数のシールにおいて、前記シールは記録装置の筐体に設けられている貫通穴を塞ぐ着脱可能な粘着層を一部に有する貼付部を有し、前記シールの一端部には粘着性を有しない折り代が形成されており、当該粘着性を有しない折り代と粘着層を有する貼付部との境界に凹状の深さ０．１μｍ〜５８．０μｍで形成された溝による折り目が形成されていることを特徴とする離型紙に貼り付けられた記録装置用穴塞ぎシール。
【請求項２】
前記記録装置用穴塞ぎシールは、少なくとも貼付部が有色の透明又は半透明材料によって形成されていることを特徴とする請求項１に記載された離型紙に貼り付けられた記録装置用穴塞ぎシール。
【請求項３】
前記折り代が、２〜９０°の角度をもって台紙より外方へ屈曲していることを特徴とする請求項１又は２に記載された離型紙に貼り付けられた記録装置用穴塞ぎシール。
【請求項４】
シートの片面に粘着層を形成した後、折り代が形成される箇所に粘着性をなくすためのインク又はフィルムを塗布・貼着した後、前記シートを離型紙に貼り付けた後、シートの表面を粘着層を有する貼付部と折り代が一体となる複数の穴塞ぎシールの形状に打ち抜いた後、不要部分を離型紙より剥離し、粘着層の設けられた貼付部と折り代との境界をシート側より押圧することによって、当該境界に凹状の溝による深さ０．１μｍ〜５８．０μｍの折り目を形成することを特徴とする離型紙に貼り付けられた記録装置用穴塞ぎシールの製造方法。
【国際調査報告】
2015072007.tif 000009
2015072007.tif 000010